(57)【要約】【課題】カメラ本体に対してレンズ鏡筒が回動可能なカメラおいて、レンズ鏡筒の回動動作を繰り返しても回動面の外観を損なわないようにする。【解決手段】所定の隙間ｇ１〜ｇ４を介してカメラ本体１に対し回動可能にレンズ鏡筒２を接続し、この隙間ｇ１〜ｇ４に面したレンズ鏡筒２の端面に、カメラ本体１の端面に向けて樹脂製の突起部３１ａ，３３ａ，３４ａ，３４ｂを設け、カメラ本体１の端面を金属製のカバー１０で覆う。突起部３１ａ，３３ａ，３４ａ，３４ｂの表面を所定の色で塗装し、さらにその上に透明塗装を施す。これによりレンズ鏡筒２とカメラ本体１は樹脂製の突起部３１ａ，３３ａ，３４ａ，３４ｂを介して接触し、接触面が傷付くことを防止できるとともに、カメラ本体１に突起部表面の塗装が付着しても目立たない。【選択図】図５
2004246268.tif 000002
【特許請求の範囲】
【請求項１】
カメラ本体と、
前記カメラ本体に所定の隙間を介して隣接し、前記カメラ本体に対して回動可能に接続されたレンズ鏡筒と、
前記隙間に面した前記カメラ本体およびレンズ鏡筒の少なくとも一方の端面から他方の端面に向けて形成された樹脂製の突起部とを備え、
前記突起部の表面を透明塗装で覆うことを特徴とするカメラ。
【請求項２】
請求項１に記載のカメラにおいて、
前記レンズ鏡筒の回動軸と垂直および平行方向にそれぞれ前記隙間を有し、
前記突起部は、前記回動軸と平行および垂直方向の隙間に面してそれぞれ設けられることを特徴とするカメラ。
【請求項３】
請求項２に記載のカメラにおいて、
前記回動軸と平行方向の隙間に面した前記カメラ本体およびレンズ鏡筒の一方は、前記回動軸を中心に円弧状に形成された内周面を有するとともに、他方は前記内周面に対応した外周面を有し、前記突起部は前記内周面に形成されることを特徴とするカメラ。
【発明の詳細な説明】
【０００１】
【発明の属する技術分野】
本発明は、カメラ本体をモニタとグリップ部を有する第１の本体と、撮影レンズ鏡筒を有する第２の本体とに分割し、互いに回動可能にしたスイバル式カメラに関する。
【０００２】
【従来の技術】
上述したように、撮影レンズ鏡筒を有する第２の本体をモニタやグリップ部を有する第１の本体に対して回動可能に構成した、いわゆるスイバル式のデジタルスチルカメラが知られている（例えば特許文献１参照）。この種のカメラにはグリップ側の第１の本体に画像確認用の液晶モニタが設けられており、グリップ側の第１の本体に対してレンズ鏡筒側の第２の本体を回動させることでモニタを見ながら多方向の被写体を撮影することができ、撮影の自由度が向上する。このようなカメラはレンズ鏡筒側の第２の本体がグリップ側の第１の本体に対してスムーズに回動するように、第１および第２の本体の間に隙間を設けている。
【０００３】
【特許文献１】
特開平１１−２６１８６０号公報（図３，図４）
【０００４】
【発明が解決しようとする課題】
近年、カメラの小型化が強く要望されており、この要望を満たすためにはレンズ鏡筒とカメラ本体との隙間を微小化する必要がある。しかし、隙間を微小化するとレンズ鏡筒を回動させた際にレンズ鏡筒がカメラ本体に接触しやすくなる。
レンズ鏡筒の回動動作の度に接触が繰り返されると、接触面に傷が付き、外観上好ましくない。
【０００５】
本発明は、レンズ鏡筒の回動動作を繰り返しても外観を損ねることがないカメラを提供するものである。
【０００６】
【課題を解決するための手段】
本発明によるカメラは、カメラ本体と、カメラ本体に所定の隙間を介して隣接し、カメラ本体に対して回動可能に接続されたレンズ鏡筒と、隙間に面したカメラ本体およびレンズ鏡筒の少なくとも一方の端面から他方の端面に向けて形成された樹脂製の突起部とを備え、突起部の表面を透明塗装で覆うことを特徴とする。
レンズ鏡筒の回動軸と垂直および平行方向にそれぞれ隙間を有し、突起部を、回動軸と平行および垂直方向の隙間に面してそれぞれ設けることもできる。
回動軸と平行方向の隙間に面したカメラ本体およびレンズ鏡筒の一方に、回動軸を中心に円弧状に内周面を形成し、この内周面に突起部を形成することが好ましい。
【０００７】
【発明の実施の形態】
以下、図１〜図６を参照して本発明の実施の形態について説明する。
図１は本実施の形態に係わるデジタルスチルカメラの外観を示す斜視図であり、図２は外観平面図（図１の矢視ＩＩ図）である。本実施の形態のデジタルスチルカメラはグリップ側本体（以下、単にカメラ本体と呼ぶ）１とレンズ鏡筒側本体（以下、単にレンズ鏡筒と呼ぶ）２からなる。
【０００８】
カメラ本体１には、液晶モニタ１１と、レリーズボタン１２と、種々のカメラの設定を行うためのダイヤル，複数のスイッチなどが設けられている。レンズ鏡筒２には、被写体光束を取り込むためのレンズ窓２１と、暗い被写体を照明するための補助光発光窓２２が設けられている。カメラ本体１とレンズ鏡筒２はそれぞれ金属製のカバー１０，２０をそれぞれの外皮として備えている。
【０００９】
レンズ鏡筒２は、円筒状の軸部２２（図５参照）を介し、撮影光学系の光軸方向に垂直な回動軸ＡＸを支点としてカメラ本体１に回動可能に支持されている。
レンズ鏡筒２の窓２１側端部ははカメラ本体１側に突出し（突出部２Ａ）、レンズ鏡筒２は平面視略Ｌ字状をなしている。カメラ本体１は突出部２Ａに対応して凹部１Ａを有し、カメラは全体として矩形状をなしている。
【００１０】
レンズ鏡筒２は、カメラ本体１に対してスムーズに回動するように回動軸ＡＸに垂直な隙間ｇ１，ｇ２，ｇ３および回動軸ＡＸに平行な隙間ｇ４を介してカメラ本体１に隣接している。すなわち、レンズ鏡筒２とカメラ本体１の端面同士は隙間ｇ１〜ｇ４は介して対向している。なお、隙間ｇ１，ｇ２および隙間ｇ２，ｇ４の間にはそれぞれコーナー状の隙間が形成されている。図３は図２の矢視ＩＩＩ図であり、レンズ鏡筒２をカメラ本体１に対して矢印方向に９０度回動させた状態を示す。レンズ鏡筒２は図３と逆方向にも回動可能である。
【００１１】
撮影者は、液晶モニタ１１を自身に向けた状態でレンズ鏡筒２を回動操作してレンズ窓２１を目標被写体に向け、シャッタボタン１２を操作する。具体的には、例えばカメラ本体１を右手で保持した状態で、レンズ鏡筒２を左手で回動操作する。このとき、カメラ本体１に対しレンズ鏡筒２に曲げ力が作用し、隙間ｇ１〜ｇ４の一部が減少し、レンズ鏡筒２の端面がカメラ本体１の端面に接触するおそれがある。その結果、レンズ鏡筒２のスムーズな回動動作が得られないばかりか、接触面に傷が付き外観を損ねる。そこで、本実施の形態では、レンズ鏡筒２とカメラ本体１の端面を後述のように形成し、レンズ鏡筒２がカメラ本体１に接触した場合に外観を損ねることがないようにする。
【００１２】
図４はレンズ鏡筒２単体の外観図（カメラ本体１側から見た図）であり、図５は図４のＶ−Ｖ線断面図である。なお、図４には４ａ部および４ｂ部の拡大図を、図５には５ａ部および５ｂ部の拡大図を併せて示す。まず、図５によりレンズ鏡筒２の内部構成を説明する。レンズ鏡筒には以下のような撮影光学系や閃光発光部等が設けられている。
【００１３】
撮影光学系は前群レンズ２３Ａと後群レンズ２３Ｂを有し、それぞれ複数のレンズからなる。前群レンズ２３Ａの前方のレンズ窓２１にはレンズ保護用のカバーガラス２４が設けられている。前群レンズ２３Ａ，後群レンズ２３Ｂの側方には一対のガイド軸２５が設けられ、各ガイド軸２５に沿って光軸方向に前群レンズ２３Ａ，後群レンズ２３Ｂを各々移動することで、フォーカシングおよびズーミングを行う。前群レンズ２３Ａ，後群レンズ２３Ｂを通った被写体光束はローパスフィルタ４１を介してＣＣＤ２６に入射し、ＣＣＤ２６からアナログ画像信号が出力される。
【００１４】
ＣＣＤ２６の後方には回路基板２７が設けられ、更にその後方には閃光発光用のメインコンデンサ２８が配設されている。回路基板２７には、ＣＣＤ２６からのアナログ画像信号をデジタル信号に変換する回路素子等が実装されている。デジタル変換された信号は、中継ＦＰＣ４０を介して軸部２２の内部を通ってカメラ本体１側に導かれ、所定の画像処理が施された後、画像データとしてカメラ本体１内のメモリカード（画像記録媒体）に記憶される。
【００１５】
閃光発光部２９は撮影光学系の側方の突出部２Ａに配設されている。閃光発光部２９は、閃光発光管と、リフレクタと、閃光発光回路などを有する。閃光発光発光管は、メインコンデンサ２８に蓄えられた電荷により発光し、被写体を照明する。
【００１６】
一方、カメラ本体１内には液晶モニタ１１（図１参照）とメモリカードの他、薄型の電源電池、回路基板等が設けられている。これら各部品はカメラ本体１内に重ねるように配置される。カメラ本体１の回路基板には、全カメラシーケンスを制御するＣＰＵやメモリ、ＤＣ／ＤＣコンバータ等が実装されている。なお、メモリカードと電源電池の挿脱は、図３に示すカバー１０ａを開放することで行う。
【００１７】
次に、図２に示した隙間ｇ１〜ｇ４に面したレンズ鏡筒２の端面の形状を説明する。図５に示すようにレンズ鏡筒２のカメラ本体１側端部には、樹脂成形された薄板状の樹脂体３０が設けられている。樹脂体３０には隙間ｇ１〜ｇ４にそれぞれ面した板部３１〜３４と、板部３２の延長上に板部３３に平行に配置された板部３５とが設けられている。板部３３〜３５に囲まれた略コ字状空間には上述した閃光発光部２９が実装されている。
【００１８】
図６は図５のＶＩ方向から見た板部３２〜３４の斜視図である。図４〜６に示すように板部３２には金属性の軸部２２が貫通している。板部３１〜３３はそれぞれ略平板状をなし、板部３４は回動軸ＡＸを支点にした円弧状の内周面を形成している。この板部３１〜３４の形状に対応し、カメラ本体１の端面が形成される。すなわち、カメラ本体１の隙間ｇ１〜ｇ３側の端面は板部３１〜３３に対応して平板状をなし、隙間ｇ４側の端面は板部３４に対応して円弧状の外周面を形成している。
【００１９】
板部３１，３３の表面は一部を除いて金属製のカバー２０ａ，２０ｂで覆われ、板部３１，３３の回動軸ＡＸ側端部および板部３４の表面は樹脂のままカメラ本体１側に露出している。板部３１，３３の露出面には、図４に示されるように、それぞれ回動軸ＡＸを支点に円弧状の突起部３１ａ，３３ａが設けられている。
【００２０】
また、板部３４の回動方向両端部には、図６によく示されているように、一対の突起部３４ａ，３４ｂが回動軸ＡＸ方向に延設されている。突起部３４ａ，３４ｂは、図４，６に示すように、板部３４の両縁部３４ｃと３４ｄを結ぶ仮想線Ｌａから出っ張らないように仮想線Ｌａの内側に位置している。これにより突起部３４ａ，３４ｂが縁部３４ｃ，３４ｄの陰に隠れ、撮影者がモニタ１１を見る際に、撮影者の視線に突起部３４ｃ，３４ｄが入らない。樹脂体３０の表面は所定の色で塗装され、さらにその上に透明塗装が施されているため、突起部３１ａ，３３ａ，３４ａ，３４ｂの表面も無色の塗装膜で覆われている。なお、カメラ本体１の隙間ｇ１〜ｇ４側端面は金属製のカバー１０で全体を覆われ、カメラ本体１側の端面に突起部は設けられていない。
【００２１】
本実施の形態では、上述したようにレンズ鏡筒２の端面に突起部３１ａ，３３ａ，３４ａ，３４ｂを設けたので、レンズ鏡筒２とカメラ本体１との隙間は突起部３１ａ，３３ａ，３４ａ，３４ｂにおいて最も小さい。したがって、レンズ鏡筒２が外力の影響で傾いて回動した場合、カメラ本体１と接触する部位は、突起部３１ａ，３３ａ，３４ａ，３４ｂのみである。
【００２２】
カメラ本体１の端面は金属製のカバー１０で覆われているのに対し、突起部３１ａ，３３ａ，３４ａ，３４ｂは金属よりも硬度が低い樹脂塗装膜で形成されている。そのため、突起部３１ａ，３３ａ，３４ａ，３４ｂがカメラ本体１に接触してもカメラ本体１に傷は付かない。また、突起部３１ａ，３３ａ，３４ａ，３４ｂの表面に透明塗装が施されているので、カメラ本体１に突起部表面の塗装が付着しても、目立たない。すなわち、レンズ鏡筒２がカメラ本体１に接触しても端面が傷付いたり塗料により色付けされることがなく、外観を損ねることがない。
【００２３】
以上説明した本実施の形態によれば、以下のような作用効果を奏する。
（１）レンズ鏡筒２のカメラ本体１側端部を樹脂体３０により形成し、樹脂体３０の表面に突起部３１ａ，３３ａ，３４ａ，３４ｂを設けるとともに、樹脂体３０の表面に透明塗装を施すようにした。これにより、カメラ本体１に対するレンズ鏡筒２のスムーズな回動動作を得ることができるとともに、レンズ鏡筒２とカメラ本体１の接触が発生しても外観を損ねることがない。
（２）回動軸ＡＸと平行方向および垂直方向にそれぞれ突起部３１ａ，３３ａ，３４ａ，３４ｂを設けたので、レンズ鏡筒２をＬ字状に形成した場合にカメラ本体１との隙間ｇ１〜ｇ４にばらつきがあっても、突起部３１ａ，３３ａ，３４ａ，３４ｂ以外がカメラ本体１に接触することを防止できる。すなわち、回動軸ＡＸと垂直方向の隙間ｇ１〜ｇ３だけでなく、回動軸ＡＸと平行方向の隙間ｇ４にも突起部を設けるので、隙間ｇ１〜ｇ３に比べて隙間ｇ４が小さい場合に、外力によってレンズ鏡筒２が傾いたとしても、突起部を介してレンズ鏡筒２とカメラ本体１を接触させることができる。
（３）突起部３４ａ，３４ｂを板部３４の内周面に設けたので、突起部３４ａ，３４ｂが周囲から見えにくく、外観上好ましい。
（４）突起部３１ａ，３３ａを板部３１，３３の回動軸ＡＸ側（内径側）端部に設けたので、レンズ鏡筒２の回動方向広範囲にわたりレンズ鏡筒２とカメラ本体１の間に突起部３１ａ，３３ａが介在し、効率的に傷の発生を防止することができる。
（５）レンズ鏡筒２の端面形状に対応して樹脂体３０を設け、突起部３１ａ，３３ａ，３４ａ，３４ｂを樹脂体３０の表面に一体成形により形成するようにしたので、突起部の形成が容易である。
【００２４】
なお、上記実施の形態では、レンズ鏡筒２の端面に樹脂製の突起部３１ａ，３３ａ，３４ａ，３４ｂを設けるようにしたが、この代わりにカメラ本体１の端面に樹脂製の突起部を設けるようにしてもよく、レンズ鏡筒２とカメラ本体１の両方に突起部を設けてもよい。樹脂体３０全体を透明塗装するのではなく、突起部３１ａ，３３ａ，３４ａ，３４ｂの表面のみ透明塗装を施してもよい。突起部３４ａ，３４ｂを板部３４の縁部３４ｃ，３４ｄを結んだ仮想線Ｌａの内側に設けるようにしたが、板部３４の内周面に形成するのであれば、仮想線Ｌａから出っ張ってもよい。上記では、一体成形した樹脂体３０に突起部３１ａ，３３ａ，３４ａ，３４ｂを形成するようにしたが、少なくとも突起部３１ａ，３３ａ，３４ａ，３４ｂを樹脂により形成するのであれば、単一の樹脂体３０によらず、別々の樹脂により突起部３１ａ，３３ａ，３４ａ，３４ｂを形成してもよい。
【００２５】
レンズ鏡筒２を平面視Ｌ字状に形成したが、これに限らない。例えば、突出部２Ａを設けず、カメラ本体１に隣接したレンズ鏡筒２の端面を平坦に形成し、突起部３１ａ，３３ａのみを設けるようにしてもよい。突起部３１ａ，３３ａ，３４ａ，３４ｂの形状は上述したものに限らない。例えば突起部３４ａ，３４ｂを円弧状の板部３４の表面に回動軸ＡＸと平行に設けるようにしたが、図７に示すように板部３４の表面に回動方向に沿って設けてもよい（突起部３４ｅ）。この場合も、突起部３４ｅを仮想線Ｌａから出っ張らないように設けることが好ましい。
【００２６】
以上の実施の形態はデジタルスチルカメラに適用したが、他のカメラにも同様に適用することができる。すなわち、本発明の特徴、機能を実現できる限り、本発明は実施の形態のカメラに限定されない。
【００２７】
【発明の効果】
本発明では、カメラ本体とレンズ鏡筒を所定の隙間を介して隣接し、この隙間に面してカメラ本体およびレンズ鏡筒の少なくとも一方の端面から樹脂製の突起部を設けるとともに、突起部の表面を透明塗装で覆うようにしたので、カメラ本体に対するレンズ鏡筒のスムーズな回動動作を得ることができるとともに、レンズ鏡筒とカメラ本体の接触が繰り返されても外観を損ねることがない。
【図面の簡単な説明】
【図１】本発明の実施の形態に係わるデジタルスチルカメラの外観斜視図。
【図２】図１の矢視ＩＩ図。
【図３】図２の矢視ＩＩＩ図。
【図４】本発明の実施の形態に係わるデジタルスチルカメラを構成するレンズ鏡筒の外観図。
【図５】図４のＶ−Ｖ線断面図。
【図６】本発明の実施の形態に係わるデジタルスチルカメラを構成するレンズ鏡筒の要部斜視図。
【図７】本発明の変形例を示す図。
【符号の説明】
１  カメラ本体                  ２  レンズ鏡筒
３０  樹脂体                  ３１〜３４  板部
３１ａ，３３ａ  突起部      ３４ａ，３４ｂ，３４ｅ  突起部
ｇ１〜ｇ４  隙間                  ＡＸ  回動軸
【図１】
2004246268.tif 000003
【図２】
2004246268.tif 000004
【図３】
2004246268.tif 000005
【図４】
2004246268.tif 000006
【図５】
2004246268.tif 000007
【図６】
2004246268.tif 000008
【図７】
2004246268.tif 000009